(57)【要約】【課題】床スラブのための下端筋を受け入れる凹所が形成された底面を有するブロックを前記下端筋から間隔を置いて保持する保持具であって、前記ブロックの配置時に該ブロックの前記凹所の内面と前記下端筋との間に、予め決められた間隔を確保することができる保持具を提供すること。【解決手段】床スラブのための下端筋を受け入れる凹所が形成された底面を有するブロックを前記下端筋から間隔を置いて保持する保持具は、前記下端筋に固定される本体部分と、該本体部分から上方へ伸びる縦部分と、該縦部分に形成された、前記縦部分に関して対称的な平面形状を有する横部分からなる間隔規定手段とを含む。【選択図】図１
2008280736.tif 000002
【特許請求の範囲】
【請求項１】
床スラブのための下端筋を受け入れる凹所が形成された底面を有するブロックを前記下端筋から間隔を置いて保持する保持具であって、前記下端筋に固定される本体部分と、該本体部分から上方へ伸びる縦部分と、該縦部分に形成された、前記縦部分に関して対称的な平面形状を有する横部分からなる間隔規定手段とを含む、保持具。
【請求項２】
前記横部分の平面形状は直線状である、請求項１に記載の保持具。
【請求項３】
前記横部分の平面形状はＸ字状である、請求項１に記載の保持具。
【請求項４】
前記横部分の平面形状は円形である、請求項１に記載の保持具。
【請求項５】
前記横部分は前記縦部分に対してほぼ垂直な板状である、請求項２ないし４のいずれか１項に記載の保持具。
【請求項６】
前記横部分は断面形状がアーチ状である、請求項２に記載の保持具。
【請求項７】
前記横部分は、前記縦部分からその放射方向にアーチ状に伸びる４つの伸長部からなる、請求項３に記載の保持具。
【請求項８】
前記横部分はドーム状である、請求項４に記載の保持具。
【発明の詳細な説明】
【技術分野】
【０００１】
本発明は、床スラブのための下端筋を受け入れる凹所が形成された底面を有するブロックを前記下端筋から間隔を置いて保持する保持具に関する。
【背景技術】
【０００２】
建物のコンクリート製の床スラブは、複数の下端筋と、該下端筋から間隔を置かれた複数の上端筋とを備える。前記床スラブには、コンクリートより比重が小さいブロックが前記下端筋及び前記上端筋のそれぞれから間隔を置いて配置されているものがある。前記ブロックは、例えば発泡スチロールからなり、平面からなる底面を有する。前記床スラブが、コンクリートより比重が小さい前記ブロックを備えることにより、床スラブのコンクリート使用量を低減し、また床スラブの重量を低減することができる。
【０００３】
前記ブロックを前記下端筋から間隔を置いて保持する従来の保持具には、前記下端筋に固定される本体と、該本体から上方へ伸びる、前記ブロックを突き刺し可能な突起と、該突起に形成され、前記ブロックに対する前記突起の突き刺し量を制限するストッパーとを有するものがある（特許文献１参照）。
【特許文献１】特開２００４−２６３５１６号公報
【０００４】
前記床スラブを形成するとき、まず、型枠の上方に前記下端筋を配置し、次に、前記下端筋から間隔を置いて前記ブロックを配置し、その後、前記ブロックから間隔を置いて前記上端筋を配置する。
【０００５】
前記ブロックを前記下端筋から間隔を置いて配置するとき、まず、前記保持具の前記本体を前記下端筋に固定し、その後、前記ブロックを前記保持具の前記突起に突き刺し、前記ブロックの底面が前記保持具の前記ストッパーに接触するまで下方へ移動させる。前記保持具の前記突起は、前記ブロックを突き刺して前記ブロックを固定する。前記保持具の前記ストッパーは、前記ブロックの底面に接触して該底面と前記下端筋との間の間隔を規定する。
【発明の開示】
【発明が解決しようとする課題】
【０００６】
ところで、前記ブロックには、平面からなる底面を有する上記の例に代え、前記下端筋を受け入れる凹所が形成された底面を有するものがある。前記凹所の内面は、相対する側面部分と、該側面部分間の頂面部分とを有する。
【０００７】
前記ブロックは、該ブロックの前記凹所が前記下端筋を受け入れるように前記下端筋から間隔を置いて配置される。前記ブロックの前記凹所が前記下端筋を受け入れるため、前記ブロックの配置時に該ブロックの底面が、該底面が平面からなる場合に比べて低い高さに位置するようにすることができる。このため、前記ブロックをより大きくすることができ、床スラブのコンクリート使用量及び床スラブの重量をより一層低減することができる。
【０００８】
前記ブロックの前記凹所が前記下端筋を受け入れているとき、前記凹所の内面と前記下端筋との間の間隔は、前記下端筋に対して設計上必要とされるコンクリートの被り厚さ寸法以上でなければならない。このため、前記ブロックの配置時に該ブロックの前記凹所の内面と前記下端筋との間に、予め決められた間隔を確保しなければならない。
【０００９】
前記保持具では、前記ブロックの配置時に前記保持具の前記ストッパーが前記ブロックの前記凹所の内面の前記頂面部分に接触して該頂面部分と前記下端筋との間の間隔を規定することはできるが、前記凹所の内面の各側面部分と前記下端筋との間の間隔を規定することができない。このため、前記ブロックの前記凹所の内面と前記下端筋との間に、予め決められた間隔を確保することができない。このため、前記ブロックの前記凹所の内面と、該凹所に受け入れられた前記下端筋との間の間隔が前記被り厚さ寸法より小さくなる恐れがある。
【００１０】
本発明の目的は、床スラブのための下端筋を受け入れる凹所が形成された底面を有するブロックを前記下端筋から間隔を置いて保持する保持具であって、前記ブロックの配置時に該ブロックの前記凹所の内面と前記下端筋との間に、予め決められた間隔を確保することができる保持具を提供することである。
【課題を解決するための手段】
【００１１】
本発明は、前記目的を達成するため、前記保持具が、前記下端筋に固定される本体部分と、該本体部分から上方へ伸びる縦部分と、該縦部分に形成された間隔規定手段とを含み、該間隔規定手段は、前記ブロックの配置時に該ブロックの前記凹所の内面に接触して該内面と前記下端筋との間の間隔を規定することができる。
【００１２】
本発明に係る、床スラブのための下端筋を受け入れる凹所が形成された底面を有するブロックを前記下端筋から間隔を置いて保持する保持具は、前記下端筋に固定される本体部分と、該本体部分から上方へ伸びる縦部分と、該縦部分に形成された、前記縦部分に関して対称的な平面形状を有する横部分からなる間隔規定手段とを含む。
【００１３】
前記ブロックを前記下端筋から間隔を置いて配置するとき、まず、前記保持具の前記本体部分を前記下端筋に固定し、次に、前記ブロックをその前記凹所が前記下端筋を受け入れるように前記下端筋から間隔を置いて配置する。このとき、前記保持具の前記間隔規定手段は前記ブロックの前記凹所の内面の頂面部分に接触する。
【００１４】
前記間隔規定手段は、前記本体部分から上方へ伸びる前記縦部分に形成された前記横部分からなるため、前記ブロックの配置時に前記本体部分と前記横部分との間の間隔に応じて前記ブロックの前記凹所の内面の前記頂面部分と前記下端筋との間の間隔を規定することができる。また、前記間隔規定手段は、前記縦部分に関して対称的な平面形状を有する前記横部分からなるため、前記ブロックの配置時に前記横部分の横方向の長さ寸法に応じて前記ブロックの前記凹所の内面の各側面部分と前記下端筋との間の間隔を規定することができる。
【００１５】
前記横部分の平面形状は直線状とすることができる。この場合、前記横部分は、前記縦部分に対してほぼ垂直な板状であるものとすることができ、またアーチ状の断面形状を有するものとすることができる。
【００１６】
前記横部分の平面形状はＸ字状とすることができる。この場合、前記横部分は、前記縦部分に対してほぼ垂直な板状であるものとすることができ、また前記縦部分からその放射方向にアーチ状に伸びる４つの伸長部からなるものとすることができる。
【００１７】
前記横部分の平面形状は円形とすることができる。この場合、前記横部分は、前記縦部分に対してほぼ垂直な板状であるものとすることができ、またドーム状であるものとすることができる。
【発明の効果】
【００１８】
本発明によれば、前記保持具の前記間隔規定手段は、前記ブロックの配置時に前記本体部分と前記横部分との間の間隔に応じて前記ブロックの前記凹所の内面の前記頂面部分と前記下端筋との間の間隔を規定することができ、また、前記横部分の横方向の長さ寸法に応じて前記凹所の内面の各側面部分と前記下端筋との間の間隔を規定することができる。このため、前記保持具は、前記ブロックの配置時に前記ブロックの前記凹所の内面と前記下端筋との間に、予め決められた間隔を確保することができる。
【発明を実施するための最良の形態】
【００１９】
図１に示すように、建物の床スラブ１０のための下端筋１２を受け入れる凹所１４が形成された底面１６を有するブロック１８が保持具２０により下端筋１２から間隔を置いて保持されている。
【００２０】
床スラブ１０は、下端筋１２及びブロック１８の他に、該ブロックから間隔を置かれた複数の上端筋２２を備える。下端筋１２及び上端筋２２はそれぞれ格子状に配置されている。床スラブ１０は場所打ちコンクリートで作られている。
【００２１】
ブロック１８は、発泡スチロールのような、比重がコンクリートより小さい材料からなる。ブロック１８の凹所１４は、矩形の断面形状を有し、下端筋１２を受け入れている。ブロック１８の凹所１４を規定する内面２４は、相対する側面部分２６と、該側面部分間の頂面部分２８とからなる。側面部分２６及び頂面部分２８のそれぞれは下端筋１２から間隔を置かれており、側面部分２６及び頂面部分２８のそれぞれと下端筋１２との間のコンクリートの厚さは、下端筋１２に対して設計上必要とされる被り厚さ以上であり、例えば約２０ｍｍである。
【００２２】
ブロック１８は、波形の曲面からなる頂面３０を有する。ブロック１８の頂面３０は、上端筋２２の下方に位置し、上端筋２２から間隔を置かれている。ブロック１８の頂面３０と上端筋２２との間のコンクリートの厚さは、上端筋２２に対して設計上必要とされる被り厚さ以上である。頂面３０は、波形の曲面からなる図示の例に代え、半球形のような他の曲面からなるもの、又は平面からなるものであってもよい。
【００２３】
ところで、例えば、床スラブ１０上で人が飛び跳ねたとき、床スラブ１０上で衝撃音が発生する。前記衝撃音は、床スラブ１０内に入射し、床スラブ１０下へ伝わる。波形の頂面３０は、床スラブ１０内に入射した前記衝撃音を反射して散乱させるため、床スラブ１０下へ伝わる前記衝撃音を低減することができる。
【００２４】
ブロック１８は、頂面３０及び底面１６のそれぞれで開放された貫通孔３２を有する。貫通孔３２は、コンクリートの打設時、ブロック１８下のコンクリートの回り込み状況を目視して確認するのに用いる。また、貫通孔３２は、コンクリートの打設時にブロック１８下に空気が溜まるのを防止する。
【００２５】
ブロック１８の底面１６は、該底面に形成された凹所１４が下端筋１２を受け入れているため、下端筋１２の下端面１２ａと同じ高さ、すなわち、ブロック１８の底面に凹所が形成されていない場合に比べて低い高さに位置する。このため、ブロック１８の底面１６から頂面３０までの長さを増大させてブロック１８をより大きくすることができる。これにより床スラブのコンクリートの使用量及び床スラブの重量のより一層の低減を図ることができる。
【００２６】
保持具２０は、下端筋１２に固定される本体部分３４と、該本体部分から上方へ伸びる縦部分３６と、該縦部分に形成された横部分３８からなる間隔規定手段とを含む。
【００２７】
本体部分３４は、相対する２つの側部３４ａと、該側部間にあって円弧状の断面形状を有する頂部３４ｂと、各側部３４ａから突出する、弾性を有する突起部３４ｃとからなる。本体部分３４は、頂部３４ｂに下端筋１２を受け入れ、頂部３４ｂと突起部３４ｃとの間に下端筋１２を保持する。本体部分３４の突起部３４ｃは、本体部分３４の頂部３４ｂに下端筋１２が受け入れられるときに下端筋１２に接触して弾性変形し、本体部分３４の頂部３４ｂに下端筋１２が受け入れられた後、元の形状に戻り、本体部分３４の頂部３４ｂに下端筋１２が受け入れられた状態を維持する。
【００２８】
縦部分３６は、横部分３８から上方へ突出する、ブロック１８を突き刺し可能な先細の突出部４４を備える。突出部４４はブロック１８を突き刺して該ブロックを固定する。保持具２０は、縦部分３６が突出部４４を備える図１に示した例に代え、縦部分３６が突出部４４を備えず、縦部分３６及び横部分３８が全体にＴ字形を呈していてもよい。
【００２９】
横部分３８は縦部分３６に対してほぼ垂直な板状であり、横部分３８の厚さ方向は縦部分３６の伸長方向と同じである。横部分３８は、その厚さ方向が縦部分３６の伸長方向と同じである図１に示した例に代え、その厚さ方向が縦部分３６の伸長方向に対して垂直であってもよい。
【００３０】
図２に示すように、ブロック１８の凹所１４は、間隔を置かれた複数の第１溝部２２ａと、それぞれが該第１溝部と交差する、間隔を置かれた複数の第２溝部２２ｂとからなり、格子状の底面形状を有する。第１溝部２２ａ及び第２溝部２２ｂのそれぞれは、ブロック１８の一端部から他端部へ伸び、各端部で開放され、下端筋１２を受け入れている。図示の例では、下端筋１２は約２００ｍｍ間隔で配置されており、ブロック１８の平面寸法は、縦が約４００ｍｍ、横が約４００ｍｍである。凹所１４の平面形状はブロック１８の平面寸法に応じて変更することができる。
【００３１】
保持具２０は、ブロック１８の凹所１４の第１溝部２２ａ及び第２溝部２２ｂのそれぞれに配置される。保持具２０は、図２に示した例では、第１溝部２２ａ及び第２溝部２２ｂのそれぞれの中央部分に配置されているが、これに代え、第１溝部２２ａ及び第２溝部２２ｂのそれぞれの端部分に配置されていてもよい。また、第１溝部２２ａ及び第２溝部２２ｂのそれぞれに１つの保持具２０が配置されている図２に示した例に代え、第１溝部２２ａ及び第２溝部２２ｂのそれぞれに複数の保持具２０が配置されていてもよい。
【００３２】
保持具２０の横部分３８は、帯状であり、縦部分３６に関して対称的な直線状の平面形状を有する。保持具２０の本体部分３４は、横部分３８が下端筋１２に対して垂直になるように該下端筋上に配置され、下端筋１２に固定される。
【００３３】
床スラブ１０を形成するとき、まず、型枠４２の上方に該型枠から間隔を置いて下端筋１２を配置し、次に、下端筋１２から間隔を置いてブロック１８を配置する。その後、ブロック１８から間隔を置いて上端筋２２を配置し、型枠４２上にコンクリートを打設する。
【００３４】
ブロック１８を下端筋１２から間隔を置いて配置するとき、図１に示したように、まず、保持具２０の本体部分３４を下端筋１２に固定し、保持具２０の本体部分３４を型枠４２上に配置する。次に、ブロック１８をその凹所１４が下端筋１２を受け入れるように該下端筋から間隔を置いて配置する。このとき、保持具２０の横部分３８はブロック１８の凹所１４の内面２４の頂面部分２８に接触する。
【００３５】
横部分３８は、本体部分３４から上方へ伸びる縦部分３６に形成されているため、ブロック１８の配置時の該ブロックの凹所１４の内面２４の頂面部分２８と下端筋１２との間の間隔は、本体部分３４と横部分３８との間の間隔４６に左右される。このため、横部分３８は、本体部分３４と横部分３８との間の間隔４６に応じてブロック１８の凹所１４の内面２４の頂面部分２８と下端筋１２との間の間隔を規定することができる。
【００３６】
横部分３８は縦部分３６に関して対称的な平面形状を有するため、ブロック１８の配置時の該ブロックの凹所１４の内面２４の各側面部分２６と下端筋１２との間の間隔は、横部分３８の横方向、すなわち縦部分３６に対してほぼ垂直な方向の長さ寸法４８に左右される。このため、横部分３８は、横部分３８の横方向の長さ寸法４８に応じてブロック１８の凹所１４の内面２４の各側面部分２６と下端筋１２との間の間隔を規定することができる。
【００３７】
保持具２０は、ブロック１８の配置時に該ブロックの凹所１４の内面２４の頂面部分２８及び側面部分２６のそれぞれと下端筋１２との間の間隔を規定することができるため、ブロック１８の凹所１４の内面２４と下端筋１２との間に、予め決められた間隔を確保することができる。ブロック１８の凹所１４の内面２４と下端筋１２との間に確保される間隔は、保持具２０の本体部分３４と横部分３８との間の間隔４６と、横部分３８の横方向の長さ寸法４８とを任意に設定することにより、任意に変更することができる。このため、保持具２０は、ブロック１８の凹所１４の内面２４と下端筋１２との間に、該下端筋に対して設計上必要とされるコンクリート被り厚さ寸法以上の間隔を確保することができる。
【００３８】
図３に示す例では、ブロック１８の凹所１４の内面２４の頂面部分２８が直線状の断面形状を有し、保持具２０の横部分３８が、縦部分３６に対してほぼ垂直に伸びる板状である図１に示した例に代え、ブロック１８の凹所１４の内面２４の頂面部分２８及び保持具２０の横部分３８はそれぞれアーチ状の断面形状を有する。
【００３９】
この場合においても、保持具２０の横部分３８は、図１に示した例と同様に、本体部分３４と横部分３８との間の間隔４６に応じてブロック１８の凹所１４の内面２４の頂面部分２８と下端筋１２との間の間隔を規定することができる。また、保持具２０の横部分３８は、横部分３８の横方向の長さ寸法４８に応じてブロック１８の凹所１４の内面２４の各側面部分２６と下端筋１２との間の間隔を規定することができる。横部分３８がアーチ状の断面形状を有する保持具２０は、図示の例では、凹所１４の内面２４の頂面部分２８がアーチ状の断面形状を有するブロック１８に用いられているが、これに代え、凹所１４が矩形の断面形状を有するブロック１８に用いられていてもよい。
【００４０】
図４に示す例では、横部分３８は、直線状の平面形状を有する図２に示した例に代え、Ｘ字状の平面形状を有する。横部分３８の平面形状は縦部分３６に関して対称的である。横部分３８は、縦部分３６からその放射方向に伸びる４つの伸長部５０からなる。
【００４１】
保持具２０の本体部分３４は、下端筋１２が他の下端筋１２と交差する位置に配置される。このため、本体部分３４は、交差する２本の下端筋１２を結束するための市販の結束具からなるものとすることができる。保持具２０の本体部分３４が配置されるとき、ブロック１８の水平断面において保持具２０の各伸長部５０と下端筋１２とがなす角度がほぼ４５度となるようにする。
【００４２】
ブロック１８の凹所１４の内面２４の頂面部分２８が直線状の断面形状を有する場合、保持具２０の横部分３８は、図５ａ、５ｂに示すように、縦部分３６に対してほぼ垂直な板状であることが好ましい。
【００４３】
保持具２０の本体部分３４は、図５ａ、５ｂに示した例では、相対する２つの側部３４ａと、該側部間にあって円弧状の断面形状を有する頂部３４ｂとからなる。本体部分３４の各側部３４ａは、図５ｂに示したように、頂部３４ｂを延長する側壁５２と、それぞれが側壁５２から下方へ伸びる、間隔を置かれた２つの脚５４と、各脚５４から両脚間へ突出する、弾性を有する突起５６とからなる。側壁５２は、両脚５４間に、下方に開放された半円形の切欠き５８が形成されており、一方の側部３４ａの側壁５２に形成された切欠き５８は、他方の側部３４ａの側壁５２に形成された切欠き５８と整列されている。
【００４４】
本体部分３４は、交差する２本の下端筋１２のうち、一方の下端筋１２を頂部３４ｂに受け入れ、他方の下端筋１２を、側部３４ａの側壁５２に形成された切欠き５８に受け入れて側壁５２と突起５６との間に保持する。突起５６は、他方の下端筋１２が切欠き５８に受け入れられるときに該下端筋に接触して弾性変形し、他方の下端筋１２が切欠き５８に受け入れられた後、元の形状に戻り、他方の下端筋１２が切欠き５８に受け入れられた状態を維持する。
【００４５】
保持具２０の横部分３８は、本体部分３４と横部分３８との間の間隔４６に応じてブロック１８の凹所１４の内面２４の頂面部分２８と下端筋１２との間の間隔を規定することができる。また、保持具２０の横部分３８は、横部分３８の横方向の長さ寸法４８に応じてブロック１８の凹所１４の内面２４の各側面部分２６と下端筋１２との間の間隔を規定することができる。このため、保持具２０は、ブロック１８の配置時に該ブロックの凹所１４の内面２４と下端筋１２との間に、予め決められた間隔を確保することができる。
【００４６】
図６ａ、６ｂに示す例では、保持具２０の横部分３８が縦部分３６に対してほぼ垂直な板状である図５ａ、５ｂに示した例に代え、横部分３８の各伸長部５０がアーチ状の断面形状を有する。ブロック１８の凹所１４の内面２４の頂面部分２８がアーチ状の断面形状を有する場合、保持具２０の横部分３８は、各伸長部５０がアーチ状の断面形状を有することが好ましい。なお、各伸長部５０がアーチ状の断面形状を有する保持具２０は、凹所１４の内面２４の頂面部分２８が直線状の断面形状を有するブロック１８に用いてもよい。
【００４７】
図７に示す例では、保持具２０の横部分３８は、Ｘ字状の平面形状を有する図４に示した例に代え、円形の平面形状を有する。横部分３８の平面形状は縦部分３６に関して対称的である。
【００４８】
ブロック１８の凹所１４の頂面部分２８が直線状の断面形状を有する場合、横部分３８は縦部分３６に対してほぼ垂直な板状、すなわち円盤状であることが好ましい。ブロック１８の凹所１４の頂面部分２８がアーチ状の断面形状を有する場合、図８ａ、８ｂ、８ｃに示すように、横部分３８はドーム状であることが好ましい。なお、横部分３８がドーム状である保持具２０は、凹所１４の内面２４の頂面部分２８が直線状の断面形状を有するブロック１８に用いてもよい。
【００４９】
保持具２０の横部分３８がドーム状である場合、床スラブ１０の形成のためのコンクリートを打設するときに横部分３８の内側に空気が溜まらないようにするため、横部分３８の頂部に複数の貫通孔６０が設けられている。コンクリートの打設時に保持具２０の横部分３８の内側に空気が溜まらないようにすることにより、該横部分の内側にコンクリートが充填されるようにする。これにより、コンクリートの打設後における下端筋１２の上方のコンクリート厚さが、下端筋に対して設計上必要とされるコンクリート被り厚さ以上となるようにする。なお、保持具２０の横部分３８の下端部と本体部分３４との間の間隔が比較的広い場合であって、仮にコンクリートの打設時に横部分３８の内側に空気が溜まったとしても、コンクリートの打設後における下端筋１２の上方のコンクリート厚さが、下端筋に対して設計上必要とされるコンクリート被り厚さ以上となる場合には、保持具２０の横部分３８に貫通孔６０が設けられていなくてもよい。
【００５０】
保持具２０の横部分３８は、本体部分３４と横部分３８との間の間隔４６に応じてブロック１８の凹所１４の内面２４の頂面部分２８と下端筋１２との間の間隔を規定することができる。また、保持具２０の横部分３８は、横部分３８の横方向の長さ寸法４８に応じてブロック１８の凹所１４の内面２４の各側面部分２６と下端筋１２との間の間隔を規定することができる。このため、保持具２０は、ブロック１８の配置時に該ブロックの凹所１４の内面２４と下端筋１２との間に、予め決められた間隔を確保することができる。
【００５１】
横部分３８がＸ字状又は円形の平面形状を有する保持具２０は、図４、７、８ｃに示した例では、下端筋１２が他の下端筋１２と交差する位置に配置されているが、これに代え、他の位置、すなわち下端筋１２が他の下端筋１２と交差していない位置に配置されていてもよい。例えば、横部分３８がＸ字状又は円形の平面形状を有する保持具２０は、ブロック１８の凹所１４の第１溝部２２ａ及び第２溝部２２ｂのそれぞれの中央部分に配置されていてもよい。
【図面の簡単な説明】
【００５２】
【図１】本発明の第１実施例に係る保持具の正面図。
【図２】図１の線２における保持具の水平断面図。
【図３】本発明の第２実施例に係る保持具の正面図。
【図４】本発明の第３実施例に係る保持具の水平断面図。
【図５ａ】本発明の第３実施例に係る保持具の正面図。
【図５ｂ】本発明の第３実施例に係る保持具の側面図。
【図６ａ】本発明の第４実施例に係る保持具の正面図。
【図６ｂ】本発明の第４実施例に係る保持具の側面図。
【図７】本発明の第５実施例に係る保持具の水平断面図。
【図８ａ】本発明の第６実施例に係る保持具の正面図。
【図８ｂ】本発明の第６実施例に係る保持具の側面図。
【図８ｃ】本発明の第６実施例に係る保持具の水平断面図。
【符号の説明】
【００５３】
１０    床スラブ
１２    下端筋
１４    凹所
１６    底面
１８    ブロック
２０    保持具
２４    内面
３４    本体部分
３６    縦部分
３８    横部分
５０    伸長部
【図１】
2008280736.tif 000003
【図２】
2008280736.tif 000004
【図３】
2008280736.tif 000005
【図４】
2008280736.tif 000006
【図５ａ】
2008280736.tif 000007
【図５ｂ】
2008280736.tif 000008
【図６ａ】
2008280736.tif 000009
【図６ｂ】
2008280736.tif 000010
【図７】
2008280736.tif 000011
【図８ａ】
2008280736.tif 000012
【図８ｂ】
2008280736.tif 000013
【図８ｃ】
2008280736.tif 000014